(57)【要約】【課題】従来の技術では、画面が出力する階調を変更して映像信号を表示するときに、ピクト画像を出力する階調も変更されてしまう、という課題がある。【解決手段】本発明は、ピクト信号を出力する第１の制御部１１と、第１の制御部１１からのピクト信号と、コンテンツの映像信号が指示する画面表示部１５に入力される階調を変調した映像信号と、を合成し、画面表示部１５に出力する第２の制御部１２と、を有する携帯端末装置を提供する。【選択図】図２
2008076718.tif 000002
【特許請求の範囲】
【請求項１】
コンテンツの映像信号を受信し映像信号を復調して出力するチューナと、
ピクト画像の表示制御を含むピクト信号を出力するピクト信号出力手段と、
前記チューナから出力された前記映像信号を、該映像信号が指示する表示階調を予め定められた基準に従って変更するように、変調する階調変調手段と、
前記階調変調手段で変調された映像信号と、前記ピクト信号とを受け取り、前記映像信号が定義する画像と前記ピクト信号が定義するピクト画像とが重畳された画像に対応する画像信号を出力する画像信号出力手段と、
前記画像信号出力手段が出力した画像信号を画面に表示する表示手段と、を備えることを特徴とする携帯型電子装置。
【請求項２】
前記階調変調手段は、前記映像信号が定義する画像の平均階調を判別する手段と、判別した平均階調と基準階調とに基づいて、平均階調を増加又は減少するように、映像信号を変調する、ことを特徴とする請求項１に記載の携帯型電子装置。
【請求項３】
前記表示手段は、該表示手段の入力信号が指示する表示階調と実際に表示される明るさに関して固有のγ特性を有し、
前記階調変調手段は、変調前の映像信号が指示する階調と前記表示手段に表示される明るさとの関係が、所定のγ特性となるように、前記固有のγ特性に基づいて、前記映像信号を変調する、ことを特徴とする請求項１に記載の携帯型電子装置。
【請求項４】
前記階調変調手段は、前記映像信号を変調する量を、前記表示手段のγ特性に基づいて設定された第１の補正特性と、映像の輝度の明暗に対応して設定された第２の補正特性と、ユーザが設定した第３の補正特性と、のいずれかに基づいて定める、ことを特徴とする請求項１乃至３のいずれか１項に記載の携帯型電子装置。
【請求項５】
この携帯型電子装置のユーザを判別するユーザ判別手段と
ユーザ別に基準表示階調を記憶する基準記憶手段と、を更に備え、
前記階調変調手段は、前記映像信号が定義する画像の平均階調を判別する手段と、判別した平均階調と、ユーザ判別手段が判別したユーザ用の基準表示階調とに基づいて、表示画像の平均階調が基準表示階調に一致するように、映像信号を変調する、ことを特徴とする請求項１又は２に記載の携帯型電子装置。
【請求項６】
表示装置と第１の制御回路と第２の制御回路と、コンテンツの映像信号を受信し映像信号を復調して出力するチューナと、を備える携帯型電子装置であって、
前記表示装置は、固有のγ特性を有し、
第１の制御回路は、通信を制御する手段と、前記表示装置固有のγ特性を所定のγ特性に修正するために入力映像信号に施す補正量を示す補正情報を格納する補正情報格納手段と、前記格納手段に格納されている補正情報を前記第２の制御回路に送信する補正情報送信手段と、ピクト画像の表示制御を含むピクト信号を出力するピクト信号出力手段と、を備え、
前記第２の制御回路は、前記チューナが出力した該映像信号を受け取って、入力し、該映像信号を高画質化するための信号処理と、前記第１の制御回路から供給された補正情報に基づく補正処理と、を入力した該映像信号に施す信号処理手段と、前記信号処理手段で処理された該映像信号と、前記ピクト信号とを受け取り、前記映像信号が定義する画像と前記ピクト信号が定義するピクト画像とが重畳された画像に対応する画像信号を出力する画像信号出力手段と、前記画像信号出力手段が出力した画像信号を前記表示装置に供給する供給手段と、を備える、ことを特徴とする携帯型電子装置。
【請求項７】
コンピュータに、
チューナが復調して、出力した映像信号を、該映像信号が指示する表示階調を予め定められた基準に従って変更するように、変調する機能と、
ピクト画像の表示制御を含むピクト信号を出力する機能と、
前記階調変調手段で変調された映像信号が定義する画像と、ピクト信号が定義するピクト画像と、を重畳する機能と、
重畳された画像に対応する画像信号を出力する機能と、を実現させるためのプログラム。
【発明の詳細な説明】
【技術分野】
【０００１】
本発明は、映像信号の指示する階調を変調して、変調した画像信号と図形信号を合成した画像を表示可能な携帯型電子装置に関する。
【背景技術】
【０００２】
従来、携帯型電子装置（携帯電話装置）にて、周囲の明るさに応じて映像処理回路が出力する階調を変化する機能を備える携帯電話装置が特許文献１に開示されている。特許文献１に開示された携帯電話装置は、表示パネル周辺の明るさを検出して、光センサの出力に応じて映像処理回路の階調特性を変化させ、画面全体の輝度や色を変化させる。
【０００３】
携帯電話装置では、画面中央部に一般の表示画像を表示し、画面の端部等に基地局からの電界強度を示すアンテナピクト、バッテリ残量を示すバッテリアイコン等の指標画像を表示するのが一般的である。
【特許文献１】特開２００５−３２３１７５号公報
【発明の開示】
【発明が解決しようとする課題】
【０００４】
しかし、一般的な携帯電話装置の表示画像の輝度を調整して画像品質を上げるために、特許文献１に開示された表示画像変調機能を単純に適用すると、画面全体の輝度や色が調整されてしまう。即ち、光センサの出力に応じて、一般の表示画像だけでなく、アンテナピクトやバッテリアイコン等の輝度や色まで変化してしまう。このため、ピクトやアイコン等が見にくくなったり、ユーザが違和感を感じる可能性がある。
【０００５】
同様の問題は、携帯電話装置に限らず、ピクト等の指標画像と一般の映像を同一の画面に表示する機能を備える種々の電子装置に共通する。
【０００６】
本発明は、上記実情に鑑みてなされたものであり、表示画像の階調を変更したときでも、指標画像の表示に影響を与えない携帯型電子装置を提供することを目的とする。
また、
【課題を解決するための手段】
【０００７】
上記課題を解決するため、本発明における携帯型電子装置は、
コンテンツの映像信号を受信し映像信号を復調して出力するチューナと、
ピクト画像の表示制御を含むピクト信号を出力するピクト信号出力手段と、
チューナから出力された映像信号を、映像信号が指示する表示階調を予め定められた基準に従って変更するように、変調する階調変調手段と、
階調変調手段でされた映像信号と、ピクト信号とを、該映像信号が定義する画像とピクト信号が定義するピクト画像とが重畳された画像に対応する画像信号を出力する画像信号出力手段と、
画像信号出力手段が出力した画像信号を画面に表示する表示手段と、を備えることを特徴とする。
【０００８】
階調変調手段は、例えば、映像信号が定義する画像の平均階調を判別する手段と、判別した平均階調と基準階調とに基づいて、平均階調を増加又は減少するように、映像信号を変調する。
【０００９】
例えば、表示手段は、該表示手段の入力信号が指示する表示階調と実際に表示される明るさに関して固有のγ特性を有し、階調変調手段は、変調前の映像信号が指示する階調と表示手段に表示される明るさとの関係が、所定のγ特性となるように、固有のγ特性に基づいて、映像信号を変調する。
【００１０】
階調変調手段は、例えば、映像信号を変調する量を、表示手段のγ特性に基づいて設定された第１の補正特性と、映像の輝度の明暗に対応して設定された第２の補正特性と、ユーザが設定した第３の補正特性と、のいずれかに基づいて定める。
【００１１】
例えば、この携帯型電子装置のユーザを判別するユーザ判別手段とユーザ別に基準表示階調を記憶する基準記憶手段とを、更に配置し、階調変調手段は、映像信号が定義する画像の平均階調を判別する手段と、判別した平均階調と、ユーザ判別手段が判別したユーザ用の基準表示階調とに基づいて、表示画像の平均階調が基準表示階調に一致するように、映像信号を変調するように構成してもよい。
【００１２】
また、この発明の第２の観点に係る携帯型電子装置は、
表示装置と第１の制御回路と第２の制御回路と、コンテンツの映像信号を受信し映像信号を復調して出力するチューナと、を備える携帯型電子装置であって、
表示装置は、固有のγ特性を有し、
第１の制御回路は、通信を制御する手段と、表示装置固有のγ特性を所定のγ特性に修正するために入力映像信号に施す補正量を示す補正情報を格納する補正情報格納手段と、格納手段に格納されている補正情報を第２の制御回路に送信する補正情報送信手段と、ピクト画像の表示制御を含むピクト信号を出力するピクト信号出力手段と、を備え、
第２の制御回路は、チューナが出力した映像信号を受け取って、入力し、該映像信号を高画質化するための信号処理と、第１の制御回路から供給された補正情報に基づく補正処理と、を入力した該映像信号に施す信号処理手段と、信号処理手段で処理された該映像信号と、ピクト信号とを受け取り、映像信号が定義する画像とピクト信号が定義するピクト画像とが重畳された画像に対応する画像信号を出力する画像信号出力手段と、画像信号出力手段が出力した画像信号を表示装置に供給する供給手段と、を備える、ことを特徴とする。
【００１３】
上記課題を解決するため、更に、コンピュータに上記の発明の主要機能を実現させるためのプログラムを提供するようにしてもよい。
【発明の効果】
【００１４】
本発明によれば、階調変調手段で映像信号を変調しても、ピクト信号については未変調に維持される。従って、映像の階調を調整したような場合でも、ピクト画像階調は変化せず、もとの状態を保つことができる。
【発明を実施するための最良の形態】
【００１５】
以下、本発明の実施形態に係る携帯電話装置１を説明する。
この携帯電話装置１は、図１示す外観のように、画面表示部１５、アンテナ１８Ａ、音声マイク１９Ａ、音声スピーカ１９Ｂ、キー操作部２１、を備えている。
【００１６】
また、携帯電話装置１は、図２に示すように、回路構成として、第１制御部１１、第２制御部１２、記憶部１３、チューナ１４、アンテナ１４Ａ、画面表示部１５、ＤＡＣ（Digital Analog Converter）１６、スピーカ１７、通信部１８、アンテナ１８Ａ、音声マイク１９Ａ、音声スピーカ１９Ｂ、外部記録メディア２０、キー操作部２１、バス２２、を備える。
【００１７】
第１制御部１１は、ＣＰＵ（Central Processing Unit)から構成され、記憶部１３に格納された動作プログラムに従って、携帯電話装置１の全体的な動作を制御する。例えば、第１制御部１１は、図示せぬ電界強度センサから周辺の電界強度を信号や電源チェック回路からの電源残信号を受信し、電界強度を示すピクト画像（絵文字）やバッテリ残量を示すピクト画像のピクト信号を、第２制御部１２に出力する。なお、ピクト信号は、例えば、チップセレクトパルス、ライトイネーブルパルスを使用する非同期型の信号である。また、第１制御部１１は、チューナ１４で受信したテレビジョン信号が示す表示階調を変更して、表示画像を高画質化するための高画質化処理制御信号を第２制御部１２に出力する。また、第１制御部１１は、コンテンツの音声信号を出力するために、ＤＡＣ１８に音声信号を送信する。
更に、第１制御部１１は、電源オン時、又は、ユーザがユーザ調整コードＡＣを変更した時に、記憶部１３から、i）画面表示部１５に入力される画像信号の定義する表示階調が所定のγ特性（以下、「固有補正特性」と呼ぶ）となるよう、画面表示部１５の固有γ特性を補正するためのγ特性補正テーブルと、ii）後述するユーザ基準階調テーブルのユーザ調整コードＡＣと、を取得して、第２制御部１２に出力する。
【００１８】
第１制御部１１は、この携帯型電子装置１を使用するユーザを認証する認証部１１Ａを有する。
認証部１１Ａは、ユーザが、ユーザ毎に任意に設定可能であるユーザ調整コードＡＣを変更するときに、ユーザを認証し、正規ユーザか否かを判別する。本実施形態の認証部１１Ａは、ユーザがキー操作部２１を介して入力したパスワードを利用したパスワード認証により、ユーザを判別するものとする。なお、認証部１１Ａの認証手段は、パスワード認証、生体認証（例えば、指紋認証、声紋認証等）、非接触型又は接触型のＩＣカード認証、等であってもよい。
【００１９】
第２制御部１２は、ＣＰＵ（Central Processing Unit)やＤＳＰ（Digital Signal Processor）から構成され、機能的にデコード部１２Ａ、高画質化処理部１２Ｂ、映像合成処理部１２Ｃ、を備える。
【００２０】
デコード部１２Ａは、チューナ１４から出力されたコンテンツを、映像信号、音声信号、字幕信号に分離すると共に復号する。
【００２１】
高画質化処理部１２Ｂは、デコード部１２Ａで復号した映像信号が定義する画像が暗すぎたり、明るすぎたりする場合に、その輝度を調整して画像を高画質化する高画質化処理を、映像信号に施す。なお、高画質化処理の詳細については、後述する。
【００２２】
映像合成処理部１２Ｃは、表示バッファメモリを備え、デコード部１２Ａで復号された映像信号及び字幕信号（又は、高画質化処理部１２Ｂで処理された映像信号及び字幕信号）と、第１制御部１１から供給されるピクト信号とを表示バッファメモリ上に展開して、チューナ１４で受信した映像及び字幕とピクト画像とを重畳し、１枚の画像フレームＰＦ分の画像データを生成する。映像合成処理部１２Ｃは、生成した画像データを画面表示部１５に出力する。これにより、図８Ｅに例示するように、画面１５Ａの上部にピクトアイコンが表示され、中央にＴＶ（テレビジョン）画像等が表示され、下部に字幕が表示される。
【００２３】
記憶部１３は、フラッシュメモリなどの不揮発性メモリ、ＲＡＭ（Random Access Memory）等から構成され、i）図９のフローチャートに示す処理を第１制御部１１に実行させるためのプログラム、ii）画面表示部１５のγ特性（入力信号対表示階調の特性）の固有補正特性、iii）高画質化処理部１２Ｂで映像信号を変調する程度を示すユーザ調整コードＡＣ、iv）各ユーザが選択したユーザ調整コードＡＣを格納するユーザ基準階調テーブル、を記憶する。
また、記憶部１３は、第１制御部１１と第２制御部１２のワークメモリとして機能する。
【００２４】
固有補正特性は画面表示部１５固有のγ特性を所望の特性に補正するものである。
ユーザ調整コードＡＣは、コンテンツを視聴するユーザが、好みに応じて、出力輝度Ｂｏの明暗を調節するときの、調節の変化の大きさを示す量である。例えば、ユーザ調整コードＡＣ＝１であるときと、ＡＣ＝２であるときとを比較すると、ユーザ調整コードＡＣ＝２の方が、画像をより明るく表示できる。なお、ユーザ調整コードＡＣは、キー操作部２１からの入力値に変更可能である。
ユーザ基準階調テーブルは、携帯型電子装置１を使用する各ユーザと、各ユーザが任意に選択したユーザ調整コードＡＣとを対応づけるテーブルである。ユーザは、認証部１１Ａによるユーザ認証に成功した後に、ユーザ基準階調テーブル内の、自己に対応したユーザ調整コードＡＣを任意に変更できる。
【００２５】
チューナ１４は、アンテナ１４Ａを介して地上デジタル放送の電波信号を受信して復調し、復調信号を第２制御部１２に出力する。
【００２６】
画面表示部１５は、ドットマトリクスタイプのＬＣＤ（液晶表示器）パネルとドライバ回路等から構成され任意の画像を表示する。なお、画面表示部１５は、画面１５Ａの各画素の階調を、０〜２５５の２５６段階に制御可能である。
【００２７】
画面表示部１５には、製造者によって予め固有のγ特性、即ち、この画面表示部１５の入力信号が指示する表示階調と実際に表示される輝度との関係を示す特性が設定されている。
【００２８】
ＤＡＣ（Digital Analog Converter）１６は、第１制御部１１からのディジタルオーディオ信号をアナログオーディオ信号に変換して、スピーカ１６に出力する。
スピーカ１７は、ＤＡＣ１６から供給されたアナログオーディオ信号を放音する。
通信部１８は、アンテナ１８Ａを通じ、基地局と交信し、音声信号、映像信号、データ信号を送受信する。
音声マイク１９Ａは、通話時等に、音声信号を収集し、通信部に供給する。
音声スピーカ１９Ｂは、通話時等に、復調された音声信号を出力する。
【００２９】
外部記録メディア２０は、スマートメディア、ＩＣカード等の着脱可能な可搬型メモリから構成され、例えば、ユーザＩＤや画面表示部１５に表示する映像データを格納している。
【００３０】
キー操作部２１は、ユーザが指示やデータを入力するための各種のキー若しくはボタンを備え、第１制御部１１への各種の指示やデータを入力する。例えば、携帯電話での通話の開始・終了、外部ネットワークへのアクセス、テレビの受信の開始・終了、記憶部１３のユーザ基準階調テーブルに記憶されているユーザ調整コードＡＣを変更したりすることが可能である。
【００３１】
バス２２は、第１制御部１１、第２制御部１２、記憶部１３、ＤＡＣ１６、外部記録メディア２０の間で相互にデータを伝送する。
【００３２】
次に、第２制御部１２の高画質化処理部１２Ｂの構成について、図３を参照して詳細に説明する。
【００３３】
高画質化処理部１２Ｂは、図３に示すように、映像輝度判別部１２Ｂ１、補正特性生成部１２Ｂ２、補正値テーブル１２Ｂ３、映像信号変調部１２Ｂ４、から構成される。
【００３４】
映像輝度判別部１２Ｂ１は、デコード部１２Ａからの映像信号が定義する映像の全体（又は中心部等の主要部でもよい）の平均輝度を求める。映像輝度判別部１２Ｂ１は、求めた平均輝度と基準となる所定の輝度レベルとを比較し、平均輝度が所定の輝度レベル以下であれば暗い映像と判別し、所定の輝度レベル以上であれば、明るい映像と判別する。映像輝度判別部１２Ｂ１は、判別結果を、補正特性生成部１２Ｂ２に出力する。
【００３５】
補正特性生成部１２Ｂ２は、電源オン時、又は、ユーザがユーザ調整コードＡＣを変更した時に、第１制御部１１から出力される、i）画面表示部１５の固有補正特性と、ii）ユーザ基準階調テーブルのユーザ調整コードＡＣと、を記憶している。補正特性生成部１２Ｂ２は、映像輝度判別部１２Ｂ１の輝度判別結果と、記憶している画面表示部１５の固有補正特性と、ユーザ調整コードＡＣとに基づいて、補正値テーブル１２Ｂ３を参照して、映像信号を変調する変調量を求める。
【００３６】
補正値テーブル１２Ｂ３は、図５に示す第１の補正特性を定義する第１の補正値テーブルと、図６に示す第２と第３の補正特性を定義する第２の補正値テーブルを含む。
【００３７】
ここでは、図５に示すように、第１の補正値テーブルは、画面表示部１５の固有のγ特性を、標準γ特性（例えば、ITU-R  BT．709で規定される、γ＝２．２のγ特性）に変換するものとする。この第１の補正値テーブルは、デコード部１２Ａから出力される映像信号が指示する表示階調（入力階調）と、その入力階調が標準のγ特性を有する表示装置に供給された際に表示される階調と同一の階調を得るために映像信号に施すべき補正の量を示す。この第１の補正値テーブルによれば、例えば、入力階調が６４（０〜２５５階調のうちの第６４階調）である場合には、階調８０を指示するように映像信号を変調することになる。
【００３８】
図６及び図７に示すように、第２の補正値テーブルは、ユーザ調整コードＡＣの値（１又は２）と、画像の平均輝度の区分（明るい、暗い）と、デコード部１２Ａから出力される映像信号が指示する表示階調（入力階調）と、の組み合わせ別に、入力階調に施すべき補正の量を示す。
この第２の補正値テーブルによれば、例えば、記憶部１３に記憶されているユーザ調整コードＡＣが「１」で、映像輝度判別部１２Ｂ１で求められた平均輝度が「明るい」に分類されている場合には、グループＧ２が特定される。さらに、映像信号が指示する表示階調（入力階調）が１１２であれば、補正値は−７となる。
従って、入力階調１１２に補正値−７を加算して（１１２−７＝１０５）表示階調１０５を求め、表示階調１０５を指示するように映像信号を変調する。
【００３９】
図６をグラフ化すると図７に示すようになる。図７において、横軸は、映像信号変調部１２Ｂ４が映像信号の階調を変調する前の、映像信号が指示する階調である。縦軸は、映像信号変調部１２Ｂ４が映像信号の階調を変調した後の、映像信号が指示する階調である。
補正特性生成部１２Ｂ２は、これらの補正量を映像信号のフレーム単位に求める。
【００４０】
補正特性生成部１２Ｂ２は、補正値テーブル１２Ｂ３から映像フレーム単位で求めた補正量を、映像信号変調部１２Ｂ４に設定する。
【００４１】
映像信号変調部１２Ｂ４は、補正特性生成部１２Ｂ２が設定した、映像信号の変調補正量に従って、表示階調が適切になるように映像信号を変調して高画質化し、映像合成処理部１２Ｃに出力する。
【００４２】
以下、第１の補正特性に基づいて、映像信号変調部１２Ｂ４が、映像信号が指示する入力階調を変調する動作を説明する。
【００４３】
画面表示部１５の固有γ特性は、図４に示すように、非線形特性を有する。横軸は、入力階調Ｇｉである。縦軸は、入力階調Ｇｉ＝２５５における出力輝度を１００％として表した出力輝度Ｂｏである。
【００４４】
曲線Ａは、「標準γ特性」である。曲線Ｂは、映像信号変調部１２Ｂ４が映像信号の指示する入力階調Ｇｉを変調する前の、画面表示部１５の固有γ特性である。入力階調Ｇｉが低い領域の曲線Ｂの出力輝度Ｂｏは、標準γ特性の出力輝度よりも低い。
【００４５】
曲線Ｂにおいて、入力階調Ｇｉ＝１６であれば、映像信号変調部１２Ｂ４は、図５の補正値テーブル１２Ｂ３に基づいて、画面表示部１５に入力される映像信号が指示する表示階調が３０になるよう、映像信号の階調を変調する。
これにより、映像信号変調部１２Ｂ４により変調された映像信号を画面表示部１５に出力すれば、標準γ特性と同じ出力輝度Ｂｏで映像が表示される。
【００４６】
図５の補正値テーブル１２Ｂ３の隣り合う入力階調Ｇｉの間の補正値は、直線補間により求まる。これにより、全ての入力階調Ｇｉにおける出力輝度Ｂｏが、無段階連続的に、標準γ特性の出力輝度に一致する。
【００４７】
以下、第２及び第３の補正特性に基づいて、映像信号が指示する階調を変調する動作を説明する。
【００４８】
例えば、第１制御部１１からのユーザ調整コードＡＣ＝１で、かつ、映像輝度判別部１２Ｂ１の輝度判別結果が「暗い」である場合、図６の補正値テーブル１２Ｂ３のグループＧ１に該当する。従って、補正特性生成部１２Ｂ３は、グループＧ１の補正特性に従って、図７の補正すべき映像信号が示す階調の変調量を生成する。
グループＧ１の補正特性は上に凸の曲線であるから、画面表示部１５の画像の暗い部分の傾きを強くし、階調差を強調することでユーザがコンテンツを視聴するときの視認性が向上する。
【００４９】
また、第１制御部１１からのユーザ調整コードＡＣ＝１で、かつ、映像輝度判別部１２Ｂ１の判別結果が「明るい」であれば、補正値テーブル１２Ｂ３のグループＧ２に該当する。図７のグループＧ２の補正特性は、下に凸の曲線であるから、画面表示部１５の画像の明るい部分の傾きを強くし、階調差を強調することでユーザがコンテンツを視聴するときの視認性が向上する。
【００５０】
第１制御部１１が、ユーザ調整コードＡＣ＝２に設定したときは、グループＧ３、グループＧ４のいずれかに該当する。グループＧ１、Ｇ２の補正特性よりも、補正特性の曲率が大きくなり、映像信号を変調する変調量が大きくなる。
【００５１】
次に、図８Ａ乃至８Ｅを参照して、映像合成処理部１２Ｃが、ピクト信号、映像信号、字幕信号を合成して、１枚の画像フレームＰＦを生成する動作を説明する。
【００５２】
第１制御部１１が送信するピクト信号は、図８Ａに示すように、アンテナピクト、バッテリアイコンのピクトアイコンのピクト画像を含む。
【００５３】
デコード部１２Ａが出力する映像信号は、図８Ｂに示す映像の情報を含む。なお、図８Ｂの人物の顔の部分の画面表示は、黒つぶれの傾向にある。
【００５４】
デコード部１２Ａから出力される字幕信号は、図８Ｃに示すように、字幕の情報を含む。
【００５５】
高画質化処理部１２Ｂは、画面表示部１５の出力輝度Ｂｏが、標準γ特性の出力輝度に一致するように、図８Ｂの映像信号を変調する。
更に、高画質化処理部１２Ｂは、映像輝度判別部１２Ｂ１の判別結果に従って映像を最適化し、かつ、ユーザが入力したユーザ調整コードＡＣに応じた補正を施す。これにより、高画質化処理が施された、図８Ｄの画像が生成される。
【００５６】
映像合成処理部１２Ｃは、図８Ａ、図８Ｃ、図８Ｄの画像要素を合成して、１枚の画像フレームＰＦを生成する。映像合成処理部１２Ｃは、画像フレームＰＦの情報を含む画像信号を、画面表示部１５に送信する。
画面表示部１５は、画像信号を表示する。
【００５７】
これにより、携帯電話装置１は、出力輝度を補正した映像を表示でき、かつ、ピクト画像の階調特性を保ったまま忠実に表示できる。
【００５８】
次に、図９を参照して、携帯電話装置１が、画像信号に高画質化処理を施して、コンテンツを再生する動作を説明する。
なお、以下の説明における前提として、携帯電話装置１は、正常に電源がオンされており、ユーザは、携帯電話装置１を使用してコンテンツを視聴している状況にある。また、図９のフローの処理の内、ステップＡ１乃至Ａ５、ステップＡ１２乃至Ａ１５、ステップＢ６乃至Ｂ９は、ユーザが携帯電話装置１を使用してコンテンツを視聴している間、定常的に実行されている処理である。
【００５９】
図９のフローチャートは、チューナ１４が、アンテナ１４Ａを介し、コンテンツ発信源（放送局）からのＴＶ信号を受信したときに起動される。図９のフローの処理が起動されると、先ず、チューナ１４は、受信したコンテンツを、デコード部１２Ａに出力する（ステップＡ１）。
【００６０】
デコード部１２Ａは、チューナ１４からのコンテンツを、映像信号、音声信号、字幕信号に分離する。また、デコード部１２Ａは、分離した画像信号、音声信号、字幕信号を、全て復号する（ステップＡ２）。
【００６１】
デコード部１２Ａは、音声信号を、第１制御部１１に出力する（ステップＡ３）。デコード部１２Ａは、字幕信号を、映像合成処理部１２Ｃに出力する（ステップＡ４）。デコード部１２Ａは、映像信号を、映像輝度判別部１２Ｂ１と映像信号変調部１２Ｂ４に出力する（ステップＡ５）。
【００６２】
ここで、ユーザが、画面表示部１５の表示階調を変更するために、操作部２１のキーを操作して、ユーザ調整コードＡＣを変更する画面を選択したとする。
ユーザが、ユーザ調整コードＡＣの変更画面を選択すると、先ず、認証部１１Ａが、ユーザにパスワードの入力を要求する（ステップＢ１）。ユーザがキー操作部２１を介して入力したパスワードが、予め登録されているユーザ自身のパスワードと合致すれば（ステップＢ２でＹｅｓ）、認証部１１Ａはユーザ認証成功と判別する。ユーザが入力したパスワードが予め登録されているユーザ自身のパスワードに合致しなければ（ステップＢ２でＮｏ）、認証部１１Ａは、ユーザ認証失敗と判別し、再度ユーザにパスワードの入力を要求する。
【００６３】
ユーザ認証に成功したユーザは、ユーザ調整コードＡＣを変更し、記憶部１３内のユーザ基準階調テーブルは、ユーザが変更したユーザの調整コードＡＣを格納する（ステップＢ３）。第１制御部１１は、補正特性生成部１２Ｂ２に、ユーザ調整コードＡＣを出力する（ステップＢ４）。
第１制御部１１は、補正特性生成部１２Ｂ２に、画面表示部１５の固有補正特性を出力する（ステップＢ５）。
【００６４】
映像輝度判別部１２Ｂ１は、映像の平均輝度を求め、画面の明暗を判別する。判別した結果を、補正特性生成部１２Ｂ２に出力する（ステップＡ６）。
補正特性生成部１２Ｂ２は、映像輝度判別部１２Ｂ１からの輝度判別結果と、第１制御部１１からの、ユーザ調整コードＡＣと固有補正特性とを受け取る（ステップＡ７）。
【００６５】
補正特性生成部１２Ｂ２は、ユーザ調整コードＡＣ＝１であるか、ＡＣ＝２であるか、を判別する（ステップＡ８）
ユーザ調整コードＡＣ＝１であれば（ステップＡ８で「１」）、補正特性生成部１２Ｂ２は、映像輝度判別部１２Ｂ１の輝度判別結果に基づき、映像の平均輝度の明暗を判別する（ステップＡ９ａ）。
【００６６】
映像の平均輝度が暗ければ（ステップＡ９ａでＹｅｓ）、グループＧ１の特性の補正特性を読み込む（ステップＡ１０ａ）。映像の平均輝度が明るければ（ステップＡ９ａでＮｏ）、グループＧ２の補正特性を読み込む（ステップＡ１０ｂ）。
【００６７】
ユーザ調整コードＡＣ＝２であれば（ステップＡ８で「２」）、補正特性生成部１２Ｂ２は、映像輝度判別部１２Ｂ１による映像の平均輝度の判別結果を読み込む（ステップＡ９ｂ）。
補正特性生成部１２Ｂ２は、平均輝度が暗ければ（ステップＡ９ｂでＹｅｓ）、グループＧ３の補正特性を読み込み（ステップＡ１０ｃ）、平均輝度が明るければ（ステップＡ９ｂでＮｏ）、グループＧ４の補正特性を読み込む（ステップＡ１０ｄ）。
【００６８】
補正特性生成部１２Ｂ２は、求めた補正量を、映像信号変調部１２Ｂ４に出力する（ステップＡ１１）。
【００６９】
映像信号変調部１２Ｂ４は、補正特性生成部１２Ｂ２からの映像信号の変調補正量に従って、デコード部１２Ａが出力した映像信号を変調する。映像信号変調部１２Ｂ４は、変調した映像信号を、映像合成処理部１２Ｃに出力する（ステップＡ１２）。
【００７０】
第１制御１１部は、ピクトの画像情報を、映像合成処理部１２Ｃに送信する（ステップＢ７）。
【００７１】
映像合成処理部１２Ｃは、i）第１制御部１１からのピクト信号、ii）高画質化処理部１２Ｂからの変調された映像信号、iii）デコード部１２Ａからの字幕データ信号、を合成して、１枚の画像フレームＰＦを生成する。映像合成処理部１２Ｃは、合成した画像データ信号を画面表示部１５に送信する（ステップＡ１３）。
【００７２】
第２制御部１２は、画面表示部１５への画像表示とスピーカ１６からの音声出力を同期を取って実行するために、音声出力指示信号を第１制御部１１に送信する（ステップＡ１４）。第１制御部１１は、デジタルオーディオ信号をＤＡＣ１６に送信する（ステップＢ８）。ＤＡＣ１６は、デジタルオーディオ信号をアナログオーディオ信号に変換して、スピーカ１７に出力する。
【００７３】
スピーカ１７は、コンテンツの音声信号を出力する（ステップＢ９）。画面表示部１５は、コンテンツの映像を画面に出力する（ステップＡ１５）。
これにより、ユーザは高画質化処理の施された映像信号のコンテンツを視聴できる。
【００７４】
本発明の実施形態が適用される高画質化処理部１２Ｂによる映像補正は、γ補正に限られず、色相や彩度に対する補正であっても、それらを組合わせた補正であってもよい。
【００７５】
本発明の実施形態が適用される高画質化処理部１２Ｂが、表示階調を変調する映像信号は、デコード部１２Ａから出力された映像信号だけでなく、例えば、第１制御部１１から出力された映像信号、静止画や動画を撮影するカメラからの映像信号入力、家庭用ＶＴＲやＤＶＤプレーヤ等の映像信号出力機能を備えた装置からの映像信号、であってもよい。更に、図３の外部記録メディア２０に記録した映像信号であってもよい。
【００７６】
第１制御部１１から第２制御部１２に送信される映像信号の型式は、水平、垂直の同期信号、ドットクロックを使用してもよい。
また、第１制御部１１が映像信号専用のインターフェースを備えているときは、映像信号専用インターフェースを使用してもよい。映像信号専用インターフェースは、i）非同期型、ii）水平、垂直の同期信号及びドットクロックを使用する同期型、iii）差動シリアル型、のいずれであってもよい。
【００７７】
本発明の実施形態が適用される第１制御部１１は、ＢＢ−ＣＰＵ（Baseband CPU）から構成されてもよい。また、第１制御部１１は、出力するピクト信号を、第２制御部１２を介さずに直接、画面表示部１５に供給してもよい。
【００７８】
第２制御部１２を介する場合は、第２制御部１２内部のＣＰＵコア部分または、周辺回路部で非同期型を同期型に変換してもよいし、差動シリアルに変換して画面表示部１５に出力してもよい。また、第２制御部１２内部の非同期型から同期型、さらに、差動シリアルへの画像信号フォーマット変換部は、第２制御部１２内部ら切り出して外付ＬＣＤコントローラとしてもよい。
【００７９】
本発明の実施形態では、第１制御部１１は、第２制御部１２へ、図形化されたピクトの情報を送信した。
しかし、第１制御部１１が、ピクトの情報を図形化する前のコード状態にて、第２制御部１２に送信してもよい。この場合、第２制御部１２が、ピクトを図形化して、高画質化処理部１２Ｂを介さずに、映像合成処理部１２Ｃにピクトアイコン情報を出力してもよい。
【００８０】
本発明の実施形態は、第１制御部１１が、チューナ１４や外部記録メディア２０のインターフェースを備えて、バス２２を介して、画像信号等を第２制御部１２に送信してもよい。なお、第２制御部１２を、第１制御部１１と同一のチップ上に、混載またはスタック形式で設けてもよい。
【００８１】
本発明の実施形態が適用されるチューナは、地上デジタル放送に限られることなく、ＢＳ（Broadcast Satellite）放送、ＣＳ（Communication Satellite）放送、アナログテレビ放送に対応したチューナであってもよい。
【００８２】
その他、本発明の概念は、携帯電話装置に限らず、例えば、ＰＨＳ、ＰＤＡ（Personal Digital Assistants）、電子カメラ、電子腕時計、ノート型ＰＣ、携帯型ＴＶ、携帯型映像記録装置・再生装置、カーナビゲーション装置、であっても同様に適用可能である。
【図面の簡単な説明】
【００８３】
【図１】本発明に従った携帯電話装置を開いた状態を、正面から見た外観図である。
【図２】本発明に従った携帯電話装置の内部構成を示すブロック図である。
【図３】本発明に従った携帯電話装置の第２制御部の内部構成を示すブロック図である。
【図４】ITU-R  BT．709で定めるγ＝２．２のγ特性と、本発明に従った携帯端末装置の表示装置のγ特性と、を示すグラフである。
【図５】補正値テーブルに格納される、第１の補正特性による映像信号が指示する階調の対応を示す表である。
【図６】補正値テーブルに格納される、第２及び第３の補正特性による映像信号が指示する階調を変調するときの、相対的補正量を示す表である。
【図７】補正値テーブルに格納されている、画像信号に含まれる入力階調と、映像信号変調部に送信する入力階調と、の相対的補正量を示すグラフである。
【図８】（ａ）は、第１制御部から、第２制御部に送信される、ピクトアイコンの画像を示す図である。（ｂ）は、デコード部から、映像輝度判別部、映像信号変調部に送信される、高画質化処理前の画像データの画像フレームを示す図である。（ｃ）は、デコーダ部から画面合成処理部に送信される、字幕データの画像フレームを示す図である。（ｄ）は、映像信号変調部が高画質化処理を行い、画面合成処理部に送信する、画像データの画像フレームを示す図である。（ｅ）は、合成処理部が、図８（ａ）、（ｄ）、（ｃ）のデータを全て合成して、画面表示部に送信する、画像データの画像フレームを示す図である。
【図９】本発明に従った携帯電話装置が、コンテンツを再生する動作を示すフローチャートである。
【符号の説明】
【００８４】
１１・・・第１制御部、１１Ａ・・・認証部、１２・・・第２制御部、１２Ａ・・・デコード部、１２Ｂ・・・高画質化処理部、１２Ｂ１・・・映像輝度判別部、１２Ｂ２  補正特性生成部、１２Ｂ３・・・補正値テーブル、１２Ｂ４・・・映像信号変調部、１２Ｃ・・・映像合成処理部、１３・・・記憶部、１４・・・チューナ、１４Ａ・・・アンテナ、１５・・・画面表示部、１６・・・ＤＡＣ、１７・・・スピーカ、１８・・・通信部、１８Ａ・・・アンテナ、１９Ａ・・・音声マイク、１９Ｂ・・・音声スピーカ、２０・・・外部記録メディア、２１・・・キー操作部、２２・・・バス
【図１】
2008076718.tif 000003
【図２】
2008076718.tif 000004
【図３】
2008076718.tif 000005
【図４】
2008076718.tif 000006
【図５】
2008076718.tif 000007
【図６】
2008076718.tif 000008
【図７】
2008076718.tif 000009
【図８】
2008076718.tif 000010
【図９】
2008076718.tif 000011